(57)【要約】【課題】室内の種々の物品の位置を考慮して照明制御をすること。【解決手段】少なくとも１つの光源（４０）が、家具（３０）のような少なくとも１つの物品を含む部屋（１０）を照明するようになっており、物品を物品検出デバイス（６２、７０）が検出し、このデバイスが部屋（１０）内の物品の位置を測定する。部屋内の物品の検出された位置および移動に応答し、照明制御システム（８２）が光源を制御するようになっている。【選択図】図１
2009520316.tif 000002
【特許請求の範囲】
【請求項１】
部屋（１０）のための照明システムであって、
部屋（１０）を照明するための少なくとも１つの光源（４０）と、
前記部屋内に移動自在に位置する少なくとも１つの物品（３０）と、
前記部屋（１０）内の前記少なくとも１つの物品の位置を決定するようになっている検出デバイス（６２、７０）と、
前記位置に従って前記少なくとも１つの光源（４０）を制御するようになっているシステムコントローラ（８２）とを備える、照明システム。
【請求項２】
前記検出デバイスは、前記センサ（７０）にユニークなデータを発生するよう、前記少なくとも１つの物品（３０）に取り付けられたセンサ（７０）と、
前記少なくとも１つの物品（３０）の前記位置を決定するようになっている、前記部屋内の種々の位置に配置された複数のリーダー（６２）とを備える、請求項１記載の照明システム。
【請求項３】
前記位置は、三角測量、前記複数のリーダー（６２）のうちの少なくとも１つにより受信された前記センサからの信号の強度を測定すること、および前記信号の通過に要した時間を測定することのうちの少なくとも１つにより決定される、請求項２記載の照明システム。
【請求項４】
前記データは、前記少なくとも１つの物品（３０）の所望する照明に関連するパラメータを含む、請求項２記載の照明システム。
【請求項５】
前記システムコントローラ（８２）は、前記センサ（７０）内の前記データを更に含むようになっている、請求項２記載の照明システム。
【請求項６】
前記検出デバイス（６２、７０）は、ＲＦＩＤタグ、超音波タグおよび赤外線タグのうちの少なくとも１つを備える、請求項１記載の照明システム。
【請求項７】
前記システムコントローラ（８２）は、前記位置に応答し、前記少なくとも１つの光源（４０）の少なくとも１つの照明属性を制御するようになっている、請求項１記載の照明システム。
【請求項８】
前記少なくとも１つの照明属性は、プリセット、輝度、カラー、飽和度、方向、光パターンおよび次元設定のうちの少なくとも１つを含む、請求項７記載の照明システム。
【請求項９】
前記システムコントローラ（８２）からの信号に応答し、前記少なくとも１つの光源（４０）の少なくとも１つの照明属性を変えるようになっているランプコントローラ（６０）を更に備える、請求項１記載の照明システム。
【請求項１０】
前記検出デバイスは、前記少なくとも１つの光源（４０）と同じ位置にある少なくとも１つのトランシーバ（６２）を備える、請求項１記載の照明システム。
【請求項１１】
前記少なくとも１つの物品（３０）が移動するときに、前記システムコントローラ（８２）は、可聴信号および視覚信号のうちの少なくとも１つを発生するようになっている、請求項１記載の照明システム。
【請求項１２】
少なくとも１つの光源（４０）および少なくとも１つの物品（３０）を有する部屋（１０）を照明するための方法において、
前記少なくとも１つの物品（３０）に少なくとも１つのセンサ（７０）を取り付ける動作と、
前記部屋内に複数のリーダー（６２）を取り付ける動作と、
前記少なくとも１つのセンサ（７０）から発せられ、前記複数のリーダー（６２）によって受信された信号から前記少なくとも１つの物品（３０）の位置を計算する動作と、
前記位置に応答し、前記少なくとも１つの光源（４０）の少なくとも１つの属性を制御する動作とを備える方法。
【請求項１３】
ユニークなデータにより前記少なくとも１つのセンサ（７０）を構成する動作を更に備える、請求項１２記載の方法。
【請求項１４】
前記少なくとも１つのセンサ（７０）は、前記複数のリーダー（６２）のうちの１つからのメッセージに応答し、ユニークなデータを発生するようになっている、請求項１２記載の方法。
【請求項１５】
前記検出デバイス（６２、７０）は、ＲＦＩＤタグ、超音波タグおよび赤外線タグのうちの少なくとも１つを備える、請求項１２記載の方法。
【請求項１６】
前記位置は、三角測量、前記複数のリーダー（６２）のうちの少なくとも１つにより受信された前記センサからの信号の強度を測定すること、および前記信号の通過に要した時間を測定することのうちの少なくとも１つにより決定される、請求項１２記載の方法。
【請求項１７】
前記少なくとも１つの照明属性は、プリセット、輝度、カラー、飽和度および方向のうちの少なくとも１つを含む、請求項１２記載の照明システム。
【請求項１８】
前記複数のリーダー（６２）のうちの少なくとも１つは、前記少なくとも１つの光源（４０）と同じ位置にある少なくとも１つのトランシーバ（６２）を備える、請求項１２記載の方法。
【請求項１９】
前記少なくとも１つの物品（３０）が移動するときに、可聴信号および視覚信号のうちの少なくとも１つを発生する動作を更に含む、請求項１２記載の方法。
【請求項２０】
コンピュータで読み取り可能なコードが上部に具現化されている、コンピュータで読み取り可能な媒体において、前記コンピュータで読み取り可能なコードは、実行時に、
部屋（１０）内の少なくとも１つの物品（３０）に設けられた少なくとも１つのセンサ（７０）を附勢する動作と、
前記附勢動作に応答し、前記少なくとも１つのセンサ（７０）からの信号を提供する動作と、
前記部屋（１０）内の複数の受信機（６２）により前記信号を受信する動作と、
前記複数の受信機（６２）により受信される前記信号から前記少なくとも１つの物品（３０）の位置を計算する動作とを備える、コンピュータで読み取り可能な媒体。
【請求項２１】
前記システムコントローラ（８２）は、前記位置に応答し、前記少なくとも１つの光源（４０）の少なくとも１つの属性を制御する動作を更に含む、請求項２０記載のコンピュータで読み取り可能な媒体。
【請求項２２】
前記システムコントローラ（８２）は、前記少なくとも１つの物品（３０）が移動するときに、可聴信号および視覚信号のうちの少なくとも１つを発生する動作を更に含む、請求項２０記載のコンピュータで読み取り可能な媒体。
【発明の詳細な説明】
【技術分野】
【０００１】
本発明は、室内の照明システムを制御することに関する。
【背景技術】
【０００２】
家庭およびその他の最近のビルでは、ユーザーのニーズおよび要求を満たすよう、ユーザーが調節できる広範な作動特性を提供する高度に巧妙な照明システムを通して審美的に快適な環境を提供することが望ましい。
【０００３】
将来において、ユーザーの活動／要求に基づき、光を適当な強度、方向、カラーに調節することにより、室内または他の領域内で種々の望ましい雰囲気を提供する照明システムが考えられよう。例えば、ユーザーがロマンティックな設定、アクション映画の設定またはゲームを楽しむ設定、おしゃべりをする設定または同様な設定にしたいことがある。これら設定は、通常、プリセットと称され、このプリセットは照明デザイナー（またはエンドユーザー）によって予め定めることができ、エンドユーザーによって使用される。
【０００４】
種々の活動に対し、予め定めたプリセットを提供することにより、照明システムのエンドユーザーを助けることが望ましい。これらプリセットは、照明システムの実際の環境の細部を知ることなく、包括的に定められるので、照明デザイナーはどこで、どれだけ多くの、およびどんなランプを使用できるか、室内の物品例えばテレビおよびオーディオ／ビジュアルコンポーネントのような装置がどこにあるかだけでなく、室内のどこにカウチ、ラウンジ椅子、アート作品およびその他の家具が置かれているかについて想定する。従って、多くの想定がなされ、プロの照明デザイナーは、取り付けのプリセットを定める。
【０００５】
実際の室内で、かかるプリセットを適用するとき、どんなリソース、例えば光源を実際に利用できるかだけでなく、かかるランプの位置および種々の室内の物品、例えば家具、アート作品およびマルチメディアコンポーネントの位置に関して変換も必要である。
【０００６】
例えば、ブルートゥース、ジグビーまたは他の接続手段、もしくは規格に準拠したプロトコルを使うようなＲＦ接続を介して複数の光源を照明システムに接続できるようになっている場合、照明システムは恐らく室内の光源の位置を学習できよう。かかるシステムでは当技術分野で周知のようなＲＦ位置検出を使用するシステムに対し、自動的に光源の位置を識別できる。米国特許第6,867,699号には、トランスポンダおよびトランスジューサを使用する、室内照明を制御するためのシステムが開示されており、本明細書ではこの米国特許全体の内容を参考例として援用する。米国公開特許出願第2005/0097162号には、インターネットを通した照明制御のための別のシステムが開示されており、本明細書ではこの米国特許出願の内容を参考例として援用する。
【発明の開示】
【発明が解決しようとする課題】
【０００７】
しかしながら、接続されていない要素、例えば家具、アート作品、電子コンポーネントなどに対しては、かかる接続されていない要素の位置を識別する簡単で、かつ自動的な方法はない。解決方法として、グラフィカルインターフェースを介し、システムに対する位置をマニュアルで識別し、物品を室内で移動するときに情報をマニュアルで更新することしかあきらかでない。従って、室内の種々の物品の位置を考慮した簡単な照明制御が求められている。
【課題を解決するための手段】
【０００８】
種々の物品、例えば家具、アート作品および／または電子コンポーネントだけでなく、複数の光源も含む室内では、家具物品を検出し、室内における家具物品の位置を決定するような物品（例えば家具）検出デバイスが設けられる。照明コントローラは、検出された位置に応答し、光源のうちの１つ以上を制御し、室内の家具物品の移動に応答し、光源を変更する。
【発明の効果】
【０００９】
特定環境内の包括的なシーンの記述、すなわちプリセットを利用できるようにするために、照明器具の位置に対する異なる装置および家具の位置に関する情報が制御システムに利用できるようしなければならない。このような位置情報は、部屋内の物品に取り付けられたセンサ、例えば装置および家具を識別するＲＦＩＤタグを使って得ることができる。これらタグのついた装置および家具を例えば、トランシーバで三角測量し、タグのついた室内物品の位置を測定できる。
【００１０】
以下説明する詳細な説明から、本発明を実施できる別の分野が明らかとなろう。詳細な説明および特定の例は、本発明の実施形態を示しているが、これらは発明を説明するためのものにすぎず、発明の範囲を限定するものではない。次の詳細な説明、特許請求の範囲および添付図面から、本発明の装置および方法の上記およびそれ以外の特徴、様相および利点がより良好に理解できよう。
【００１１】
所定の実施形態の次の説明は単に例にすぎず、発明、その用途および使用を制限するものではない。
【発明を実施するための最良の形態】
【００１２】
図１を参照する。ビル内の部屋１０は、天井１２、床１４および壁１６、１８、２０および２４によって構成されている。この部屋には出入口２６を通って入る。例えば出入口２６に隣接する壁１６にライトのスイッチ２８が取り付けられている。
【００１３】
この部屋は、ソファ３０、読書用椅子３２、テレビ３４および壁１８に吊り下げられたアート作品３６を含む家具のような種々の物品を含む。当然ながら、部屋には他の物品、コンピュータ、マルチメディアデバイスなどを含む種々の電子コンポーネントが含まれてもよい。この部屋は天井１２に取り付けられた照明器具４０、４２、４４、４６および４８によって照明される。他の任意のタイプの照明器具、例えば壁取り付け器具、テーブルトップまたはフロアライト器具なども使用できる場合、天井取り付け照明器具は、単なる照明器具の例として使用するにすぎないと理解すべきである。
【００１４】
図２を参照すると、照明器具４０は、ハウジング５４、ランプ５６、ソケット５８、ランプコントローラ６０およびアンテナ６４を備えたＲＦＩＤ（無線周波数識別）リーダーを含むことができるトランシーバ６２を備える。照明器具４２、４４、４６および４８は、照明器具４０と同一または類似したものである。ランプ５６は、任意のタイプの光源、白熱ランプ、蛍光灯、高強度放電（ＨＩＤ）ランプだけでなく、発光ダイオード（ＬＥＤ）でもよい。ランプコントローラ６０は、任意のタイプのコントローラ、例えば当技術分野で周知の所定タイプのランプのためのバラストとすることができる。このランプコントローラ６０は、ランプ５６から放出される光の種々の属性、強度、カラー、色合い、飽和度などを制御するようになっている。ここでＬＥＤは、異なる属性の光を提供するのに適している。
【００１５】
ソファー３０に取り付けられたＲＦＩＤタグ７０、読書用椅子３２に取り付けられたＲＦＩＤタグ７２、テレビ３４に取り付けられたＲＦＩＤタグ７４およびアート作品３４に取り付けられたＲＦＩＤタグ７６を含むＲＦＩＤタグのようなセンサが、室内の所望する各物品または任意の物品に取り付けられている。これらＲＦＩＤタグは、エンドユーザーが単に家具、アート作品、電子機器などの対応する部分にタグを取り付けるだけでよいように、カウチ、椅子、テレビなどの表示されたテキストまたはピクトグラムのようなマークで予め定めることができる。例えば、ユーザーがユーザーインターフェース８０またはシステムコントローラ８２の近くのリーダーによりタグをマニュアルで読み出すことによって、部屋の物品にこれらタグを関連付けし、特定の部屋の物品、例えばカウチ３０に特定の家具を取り付けるべき旨をシステムコントローラ８２に伝える。これらＲＦＩＤタグは、照明システムにより附勢することができ、附勢すると、これらタグはシステムに対し、それらの識別を発生する。
【００１６】
ＲＦＩＤタグはアクティブタグでもよいし、またはパッシブタグでもよい。アクティブタグの場合、アクティブタグはバッテリーと、ＲＦ信号を送受信するためのトランシーバとを含む。パッシブタグの場合、このパッシブタグは電池を有することはなく、周知のようにパッシブタグは受信した信号から必要なエネルギーを抽出し、受信した信号に応答してユニークな識別を送信できる。当然ながら、パッシブタグは反射された信号からユニークな識別を決定できるよう、受信した信号を発生することができる。ＲＦＩＤリーダー６２は、ＲＦＩＤおよびシステムコントローラ８２との間でＲＦ信号を送受信するためのトランシーバを含むことができる。これとは異なり、ＲＦＩＤリーダー６２は、ＲＦＩＤタグから放出される信号を読み出す受信機しか含んでいなくてもよく、この場合、ＲＦＩＤおよびシステムコントローラ８２に信号を送信するための送信機は、例えばランプコントローラ６２の一部として、またはこのコントローラとは別個に、リーダー６２の外部に設けられる。当然ながら、ＲＦＩＤリーダー／トランシーバ６２は、ＲＦＩＤタグが提供する情報を受信し、その識別および位置を決定し、ランプコントローラ６０に送信される制御信号により、適当な権利を制御するランプコントローラ６０の一部でよく、ランプコントローラ６０は、かかる制御信号を受信するための受信機および関連する要素、例えば無線送信の場合のアンテナを有する。
【００１７】
図示するように、出入口２６に隣接する壁１６にユーザーインターフェースパネル８０が取り付けられている。このユーザーインターフェースパネル８０は、システムコントローラ８２と通信し、このシステムコントローラ８２を含むか、またはこのコントローラと別個になっている。システムコントローラ８２は、ランプコントローラ６０および照明器具４０、４２、４４、４６および４８の各々のＲＦＩＤリーダー６２に有線接続または無線通信リンクにより接続されている。このユーザーインターフェース８０はタッチ検出スクリーンまたはシステムコントローラ８２とインターフェースするための任意のタイプの入出力デバイス、例えばキーボード、マウス、ＰＤＡまたは例えばシステムコントローラ８２と無線通信するためのリモコンとすることができる。
【００１８】
ランプコントローラ６０およびシステムコントローラ８０は、任意のタイプのコントローラ、例えば汎用プロセッサまたは専用プロセッサ、マイクロプロセッサ、中央処理ユニット（ＣＰＵ）、デジタル信号プロセッサ、アプリケーション特定集積回路（ＡＳＩＣ）だけでなく、これらおよびその他の処理デバイスの一部または組み合わせも含むことができる。周知のようにランプコントローラ６０およびシステムコントローラ８２は、ＲＡＭ、ＲＯＭおよびその他のタイプの記憶デバイス、例えばディスクをベースとする光または磁気メモリを含む電子メモリと通信でき、この通信メモリにプログラム命令またはその他のデータが記憶される。
【００１９】
作動について説明する。例えば部屋１０に入る人が照明スイッチ２８をオンにすることによって照明システムが附勢されると、照明器具４０、４２、４４、４６および４８が附勢され、部屋１０を照明する。照明器具を附勢すると、照明器具の各々のＲＦＩＤトランシーバ／リーダー６２も附勢される。次にＲＦＩＤリーダー６２のうちの１つの、少なくとも１つの送信機またはトランシーバが、ＲＦＩＤタグを附勢するメッセージをＲＦＩＤタグに送信する。このプロセスはリーダー６２のうちの１つまたはシステムコントローラ８２からの信号によりすべてのタグが附勢されるまで続く。これに応答し、室内の各ＲＦＩＤタグは、データを送信し、このデータは照明器具のすべてまたは一部のＲＦＩＤリーダー６２のトランシーバのすべてまたは一部および／またはシステムコントローラ８２により受信される。図示するように、システムコントローラ８２は部屋の中のタグの付いた物品の位置を決定し、例えばプリセットおよび決定された部屋の物品の位置に従って照明器具を制御するような処理のためのデータを（ＲＦＩＤタグまたはリーダー６２から）受信する。システムコントローラ８２は、部屋内のタグ付き物品の位置を示す、決定された位置情報に従い、プリセットを調節できる。
【００２０】
ＲＦＩＤタグのうちの任意のタグから受信されたデータは、そのタグのためのユニークな識別子を含み、例えばアート作品３６に取り付けられたＲＦＩＤタグ７６から発生されたデータにより、システムコントローラ８２はアート作品３６に対するユニークなデータを分離し、処理することが可能となる。別のデータだけでなく、このユニークな識別子も、所望するようにユーザーによって、例えばユーザーインターフェース８０および／またはシステムコントローラ８２により、または特定の部屋の物品に関連する特定データのようなＲＦＩＤタグのメーカーにより、ＲＦＩＤタグと関連付けできる（または変更できる）。図示するように、ＲＦＩＤタグは例えば工場出荷してもよいし／アート作品と共に取り付けてもよい。更に工場出荷の際、タグは特定の関連する部屋の物品の照明に対応する特定のパラメータ／データ、例えば物品のタイプ、サイズ、カラー、反射率だけでなく、示唆される照明パラメータ、使用するランプのタイプ、照明スポットサイズ、物品からのランプの距離なども含むことができる。当然ながらシステムコントローラ８２は、必要とされる情報（例えばランプおよび部屋の物品のタイプおよび位置）を自動的に（またはマニュアルで）入手するか、または求めるためのアルゴリズムまたはソフトウェアを設けるように構成し、例えばランプおよび部屋の物品のタイプおよび位置に鑑み、適当な照明条件に関してユーザーが選択すべきプリセットを提供またはプリセットのための示唆を提供するようにできる。
【００２１】
システムコントローラ８２は、ＲＦＩＤタグのユニークなデータ、例えばアート作品のＲＦＩＤタグ７６のためのデータを処理するためのアルゴリズムを含む。照明器具４０、４２、４４、４４および４６の各々に関連したＲＦＩＤリーダーの各々は、アート作品のＲＦＩＤタグ７６に問い合わせをし、これからのデータを受信する。このデータは、システムコントローラ８２にも提供される。システムコントローラ８２は、例えばＲＦＩＤリーダー６２の各々から受信したデータ（例えばタグのＩＤ、信号の強度または信号の通過に要した時間（２点間を通過するのに要した時間を意味し、タイムオブフライトとも称される）を三角測量することにより、各ＲＦＩＤタグ、例えばアート作品のＲＦＩＤタグ７６の位置を計算するアルゴリズムを含む。この位置は二次元、またはより高い精度で三次元で決定できる。図示するように、アルゴリズムは各ＲＦＩＤタグによって送信され、ＲＦＩＤリーダー６２および／またはシステムコントローラ８２により受信された信号強度および／または信号の通過に要した時間の測定に基づき、位置を決定できる。例えば信号強度とＲＦＩＤタグが送信した既知の信号強度とを比較する。更に、三角測量の代わりに、または三角測量に加え、例えば１つのＲＦＩＤリーダー６２しか信号強度または信号の通過に要した時間を読み出さなかったときには、ビーム方向を使用できる。ライオネル  Ｍ.ＮＩ外によって発表された「LANDMARC：アクティブＲＦＩＤを使用する屋内位置検出」を題名とする技術レポートには、室内のＲＦＩＤの位置を決定するためにＲＦＩＤ技術を使用することに関する更なる情報が開示されており、本明細書では、この技術レポートの内容全体を参考例として遠洋する。
【００２２】
システムコントローラ８２およびユーザーインターフェース８０を介し、室内の、ＲＦＩＤタグがつけられた物品、家具、アート作品などの決定された物理的位置およびタイプに関し、ランプのタイプ／位置を利用する広範な望ましい照明制御機能を可能にするように、上記システムをプログラム／再プログラムすることができる。当然ながらユーザーは、照明器具をマニュアルで制御し、システムコントローラ８２をプログラム／再プログラムすることも可能である。
【００２３】
例えば照明器具４８がアート作品３６に焦点を合わせたスポットライトとすることができる。アート作品３６が撤去され、別の部屋に吊り下げられた場合、認識された位置からのアート作品のＲＦＩＤタグ７６の撤去を制御入力として使用し、この制御入力をシステムコントローラ８２で処理し、システムコントローラ８２はランプコントローラ６０、例えば照明器具４８のバラストに信号を送り、照明器具４８を消すこともできる。アート作品の撤去は、アート作品の照明を不要にし、アート作品の撤去後に残っている空のスペースを照明することは望ましくないことになる。
【００２４】
別の例として、図１に示される位置にソファが位置し、照明器具４０および４２の下方にテレビ３４が位置している場合、照明器具４０および４２を減光または消灯することが望ましい。例えばテレビ視聴プリセットの選択に応答し、かかる照明コンフィギュレーション／プリセットを、システムコントローラ８２により決定し、示唆することもできる。他方、照明器具４４および４６の下方に位置するようにテレビ３４を移動する場合、照明器具４４および４６を減光または消灯することが望ましい。更に、ユーザーによってロマンティックなプリセットが選択された場合、決定された部屋のタグつき物品の位置（例えばカウチ３０の位置）およびシステムコントローラ８２によって予め決定／記憶、もしくは決定できるロマンティックな設定に従い、システムコントローラ８２は特定のライトを減光するか、または他の光の属性、例えばカラーを変更する。
【００２５】
ＲＦＩＤタグが付けられた種々の物品の位置の種々の変化に応答し、照明システムの制御を変えることにより自動的に応答するように、システムコントローラ８２をプログラムすることができる。すなわちある状況においては、システムコントローラ８２をデフォルト設定にし、次にユーザーがユーザーインターフェース８０を介して照明システムを再プログラムしなければならないことをユーザーに通知するか、または少なくともシステムが自動的に再プログラムするようになっていることをユーザーが知ることができるよう、家具が移動されたと判断されたときに視覚的信号または可聴信号を発生させるようにすることが望ましい。これとは別に、またはこの方法に加え、視覚的信号または可聴信号により、自動再プログラミングを起動するか、またはシステムコントローラ８２をマニュアルで再プログラムすることユーザーに促すことができる。
【００２６】
システムコントローラ８２により管理される制御プログラム内に別の入力を加えるのが望ましいことが理解できよう。例えばユーザーインターフェースは一連のスイッチを有することができ、部屋に入るユーザーはこのスイッチにより、種々の照明シーン、プリセット選択、例えば会話、読書、テレビ視聴などを選択できる。システムコントローラ８２では他のプリセット、例えばロマンティック設定またはアクション映画の設定、またはゲームの設定、おしゃべりの設定などの設定をプログラムすることもできる。これらプリセットはプログラム可能であり、ユーザーまたはプロの照明デザイナーによってプログラムできる。次に、これらプリセットまたはシーン選択において、部屋内で移動できるタグ付き物品、例えば家具の検出された位置をシステムコントローラ８２によって処理し、システムコントローラ８２から種々の照明器具の種々のランプコントローラ６０へ送信されるコマンドにより、照明制御のための入力として使用し、照明器具から発生される光の属性を別々に、または集合的に変更、例えば光の強度、カラー、色合い、飽和度、光パターン、時系列設定を変えることができ、この場合、所定のライトを逐次または同時にターンオンしたり、減光したり、および／または時限インターバルなどでターンオフする。
【００２７】
システムコントローラ８２およびユーザーインターフェース８０は、ユーザーが個人プリセットを容易にマニュアルで定めるよう、照明器具と室内物品とを結合させることができ、この個人プリセットはタグ付き物品の位置情報およびユーザー情報に基づき、システムコントローラが示唆できる。当然ながら、ユーザーがプリセットを定め、任意の態様でシステムコントローラ８２をプログラムすることも可能である。更に室内の人、例えば衣服にＲＦＩＤタグを付け、よって個人を識別したり、および／または人の位置を識別し、照明のための適当なデータを提供することもできる。例えば人の所定の位置から所定の光設定を推定し、実施することができる。例えば読書用椅子に座っている人が検出された場合、例えば一日のうちのある時間の間、読書用椅子に座りながら読書をする履歴を有する成人または家事をするメンバーが検出された場合、適当な照明レベルで読書用ライトを点灯する。
【００２８】
従って、ＲＦＩＤタグが個人またはユーザーを識別するデータを含む場合、識別されたユーザーに関連する所定の照明データを実現することができる。例えばユーザーＡに関連する照明属性がユーザーの予め定めた強度で特定のライトまたは一組のライトをオンにすることができ、このユーザーが定める強度をユーザーの現在の位置に応じて決めたり、または過去のユーザーの動作から学習することもできる。同じように、照明属性を学習したり、予め定めたり、またはユーザーのグループに関して関連付けすることができる。例えば２人以上の子供が室内にいるとき、実質的にフル強度でライトをオンにする。この場合、照明器具のほとんどをオンにする。これと対照的に、夫婦だけが部屋にいるとき、例えば減光強度および／または所望するカラーまたは光の属性で、所定のライトだけをオンにし、ロマンティックな雰囲気を作ることができ、この雰囲気は一日のうちのある時間、例えば夜の遅い時間に関連させることができる。
【００２９】
家具の位置に関連するデータを使用して、照明器具内のランプの減光、消灯または種々の光の属性の変更の他に、ランプ／照明器具のその他の属性および特性を制御することも望ましい。例えば特定の人および／または家具物品の移動を追跡するように、照明器具を回転させ、アングルを定めるよう、モーター付きスイベルの照明器具を取り付けることができる。またはＬＥＤ照明源の場合、特定の照明プリセットまたはシーン選択および家具および／または個人の移動に合わせるように、光のカラー、色合いおよび／または飽和度を変えることができる。
【００３０】
データ、例えば室内の家具または他の物品の位置をマニュアルでシステムコントローラ８２に入力する代わりに、人を含む室内の対応する要素のすべてを（半）連続位置識別を使って自動データ入力を行うことができ、この場合、リーダー６２のうちの１つは部屋の物品または人の衣服に取り付けられたタグに問い合わせ（例えば起動のための信号を送信）すると、タグは、この問い合わせに応答し、タグはユニークなＩＤを送信し、複数のリーダー６２はタグの付いた部屋の物品／人の位置を決定する。このことは、部屋の物品／人およびそれらの位置のマニュアル入力とは異なっており、物品または人の位置をシステムにマニュアルで再通知することなく、部屋内の家具およびその他の対応する物品の移動を可能にする。その代わりに、部屋の物品の位置は自動的に決定される。
【００３１】
本発明のこれまでの説明は、性質上、単なる連続にすぎず、従って本発明の範囲内で種々の変形が可能である。例えばＲＦＩＤ技術の使用に対する代替方法として、他の位置検出技術により、部屋の物品、例えば家具の位置を決定することができる。かかるシステムは、信号を受信し、情報、例えばセンサのユニークな識別を送信できる任意のタイプのセンサを含むことができる。例えばＲＦＩＤ技術の代わりにセンサ、トランスジューサおよびトランシーバと共に、赤外線または超音波技術を使用することもできる。これら検出技術のための検出装置を、照明器具と同じ場所に適宜設けてもよいし、またはこれら検出装置を適当な場合に室内の他の場所に設け、システムコントローラ８２へ送信できるよう、室内の種々の室内物品の位置に関するデータを収集することができる。
【００３２】
ユーザーインターフェース８０およびシステムコントローラ８２は、この用途のために特別設計された単一目的のカスタム照明制御パネルでもよいし、これとは異なり、所望する照明制御ロジックを実行するのに必要なようにプログラムされたパソコンとしてユーザーインターフェースおよびシステムコントローラ８２を設けてもよいことが理解できよう。家具のタグ付き物品の位置を信頼できる状態で決定するのに、十分なデータが得られることを保証するように、十分なＲＦＩＤリーダーが使用されていることを条件に、照明器具の各１つにＲＦＩＤリーダーを１つずつ関連させる必要はない。
【００３３】
例えばシステムコントローラ８２で作動するコンピュータソフトウェアプログラムにより、室内で移動された物品の検出に応答する光属性制御を実行するようになっており、当然ながらかかるソフトウェアは、コンピュータで読み取り可能な媒体、例えばシステムコントローラ８２の集積チップ、周辺デバイスまたはメモリ、もしくはシステムコントローラ８２に結合された集積チップ、周辺デバイスまたはメモリで具現化することができ、システムコントローラ８は本発明に従って作動するための専用プロセッサを含んでもよいし、またはシステムコントローラは本発明に従って多くの機能のうちの１つしか作動しない汎用プロセッサでもよい。このプロセッサは、プログラムの一部、多数のプログラムセグメントを利用して作動できるし、または専用もしくは汎用集積回路を使ったハードウェアデバイスでもよい。室内のタグ付き物品の位置を識別するために使用される上記システムの各々を別のシステムと組み合わせて使用してもよい。
【００３４】
最後に、これまでの説明は単に本発明を説明するためのものであり、特許請求の範囲を特定の実施形態または実施形態のグループに限定するものと見なしてはならない。従って、本発明の特定の実施形態を参照し、本発明について特に詳細に説明したが、特許請求の範囲に記載の発明の要旨から逸脱することなく、多数の変形および変更も可能であると理解すべきである。従って、本明細書および図面は説明のためのものと見なすべきであり、特許請求の範囲を限定するものではない。
【００３５】
特許請求の範囲の解釈にあたり、次のように理解すべきである。
ａ）「含む」または「備える」なる用語は、特定の請求項に記載された要素または動作以外の要素または動作が存在することを排除するものではない。
ｂ）要素に先行する「１つの」または「ある」なる用語は、複数のかかる要素が存在することを排除するものではない。
ｃ）特許請求の範囲で使用している参照符号は発明の範囲を限定するものではない。
ｄ）「手段」なる用語は、同一の物品またはハードウェア、もしくはソフトウェアで実現される構造または機能によって表示できるものである。
ｅ）開示した要素の各々は、ハードウェア部分（例えばディスクリート電子回路）、ソフトウェア部分（例えばコンピュータプログラム）またはそれらの任意の組み合わせから構成できる。
【図面の簡単な説明】
【００３６】
【図１】本発明の一実施形態が設置されている部屋の斜視図である。
【図２】本発明にかかわるトランシーバおよびランプコントローラを備えた照明器具の側面図である。
【符号の説明】
【００３７】
１０    部屋
１２    天井
１４    床
１６、１８、２０、２４    壁
２６    出入口
２８    ライトスイッチ
３０    ソファ
３２    読書用椅子
３４    テレビ
３６    アート作品
４０、４２、４４、４６、４８    照明器具
５４    ハウジング
５６    ランプ
５８    ソケット
６０    ランプコントローラ
６２    トランシーバ
６４    アンテナ
７０、７２、７４、７６    ＲＦＩＤタグ
８０    ユーザーインターフェース
８２    システムコントローラ
【図１】
2009520316.tif 000003
【図２】
2009520316.tif 000004
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
部屋（１０）のための照明システムであって、
部屋（１０）を照明するための少なくとも１つの光源（４０）と、
前記部屋内に移動自在に位置する少なくとも１つの物品（３０）と、
前記部屋（１０）内の前記少なくとも１つの物品の位置を決定するようになっている検出デバイス（６２、７０）と、
照明プリセットを提供または調節すると共に前記位置に従って前記少なくとも１つの光源（４０）を制御するようになっているシステムコントローラ（８２）とを備える、照明システム。
【請求項２】
前記検出デバイスは、前記センサ（７０）にユニークなデータを発生するよう、前記少なくとも１つの物品（３０）に取り付けられたセンサ（７０）と、
前記少なくとも１つの物品（３０）の前記位置を決定するようになっている、前記部屋内の種々の位置に配置された複数のリーダー（６２）とを備える、請求項１記載の照明システム。
【請求項３】
前記位置は、三角測量、前記複数のリーダー（６２）のうちの少なくとも１つにより受信された前記センサからの信号の強度を測定すること、および前記信号の通過に要した時間を測定することのうちの少なくとも１つにより決定される、請求項２記載の照明システム。
【請求項４】
前記データは、前記少なくとも１つの物品（３０）の所望する照明に関連するパラメータを含む、請求項２記載の照明システム。
【請求項５】
前記システムコントローラ（８２）は、前記センサ（７０）内の前記データを更に含むようになっている、請求項２記載の照明システム。
【請求項６】
前記検出デバイス（６２、７０）は、ＲＦＩＤタグ、超音波タグおよび赤外線タグのうちの少なくとも１つを備える、請求項１記載の照明システム。
【請求項７】
前記システムコントローラ（８２）は、前記位置に応答し、前記少なくとも１つの光源（４０）の少なくとも１つの照明属性を制御するようになっている、請求項１記載の照明システム。
【請求項８】
前記少なくとも１つの照明属性は、輝度、カラー、飽和度、方向、光パターンおよび次元設定のうちの少なくとも１つを含む、請求項７記載の照明システム。
【請求項９】
前記システムコントローラ（８２）からの信号に応答し、前記少なくとも１つの光源（４０）の少なくとも１つの照明属性を変えるようになっているランプコントローラ（６０）を更に備える、請求項１記載の照明システム。
【請求項１０】
前記検出デバイスは、前記少なくとも１つの光源（４０）と同じ位置にある少なくとも１つのトランシーバ（６２）を備える、請求項１記載の照明システム。
【請求項１１】
前記少なくとも１つの物品（３０）が移動するときに、前記システムコントローラ（８２）は、可聴信号および視覚信号のうちの少なくとも１つを発生するようになっている、請求項１記載の照明システム。
【請求項１２】
少なくとも１つの光源（４０）および少なくとも１つの物品（３０）を有する部屋（１０）を照明するための方法において、
前記少なくとも１つの物品（３０）に少なくとも１つのセンサ（７０）を取り付ける動作と、
前記部屋内に複数のリーダー（６２）を取り付ける動作と、
前記少なくとも１つのセンサ（７０）から発せられ、前記複数のリーダー（６２）によって受信された信号から前記少なくとも１つの物品（３０）の位置を計算する動作と、
前記位置に応答し、前記少なくとも１つの光源（４０）の少なくとも１つの属性を制御する動作と、
前記位置に応答し、照明プリセットを提供または調節する動作とを備える方法。
【請求項１３】
ユニークなデータにより前記少なくとも１つのセンサ（７０）を構成する動作を更に備える、請求項１２記載の方法。
【請求項１４】
前記少なくとも１つのセンサ（７０）は、前記複数のリーダー（６２）のうちの１つからのメッセージに応答し、ユニークなデータを発生するようになっている、請求項１２記載の方法。
【請求項１５】
前記検出デバイス（６２、７０）は、ＲＦＩＤタグ、超音波タグおよび赤外線タグのうちの少なくとも１つを備える、請求項１２記載の方法。
【請求項１６】
前記位置は、三角測量、前記複数のリーダー（６２）のうちの少なくとも１つにより受信された前記センサからの信号の強度を測定すること、および前記信号の移動に要した時間を測定することのうちの少なくとも１つにより決定される、請求項１２記載の方法。
【請求項１７】
前記少なくとも１つの照明属性は、輝度、カラー、飽和度および方向のうちの少なくとも１つを含む、請求項１２記載の照明システム。
【請求項１８】
前記複数のリーダー（６２）のうちの少なくとも１つは、前記少なくとも１つの光源（４０）と同じ位置にある少なくとも１つのトランシーバ（６２）を備える、請求項１２記載の方法。
【請求項１９】
前記少なくとも１つの物品（３０）が移動するときに、可聴信号および視覚信号のうちの少なくとも１つを発生する動作を更に含む、請求項１２記載の方法。
【請求項２０】
コンピュータで読み取り可能なコードが上部に具現化されている、コンピュータで読み取り可能な媒体において、前記コンピュータで読み取り可能なコードは、実行時に、
部屋（１０）内の少なくとも１つの物品（３０）に設けられた少なくとも１つのセンサ（７０）を附勢する動作と、
前記附勢動作に応答し、前記少なくとも１つのセンサ（７０）からの信号を提供する動作と、
前記部屋（１０）内の複数の受信機（６２）により前記信号を受信する動作と、
前記複数の受信機（６２）により受信される前記信号から前記少なくとも１つの物品（３０）の位置を計算する動作と、
前記位置に応答し、照明プリセットを提供または調節する動作とを備える、コンピュータで読み取り可能な媒体。
【請求項２１】
前記システムコントローラ（８２）は、前記位置に応答し、前記少なくとも１つの光源（４０）の少なくとも１つの属性を制御する動作を更に含む、請求項２０記載のコンピュータで読み取り可能な媒体。
【請求項２２】
前記システムコントローラ（８２）は、前記少なくとも１つの物品（３０）が移動するときに、可聴信号および視覚信号のうちの少なくとも１つを発生する動作を更に含む、請求項２０記載のコンピュータで読み取り可能な媒体。
【国際調査報告】
2009520316.tif 000005
2009520316.tif 000006